(57)【要約】【課題】治療方向と視認方向とを一致させつつ、切削部分を視認しながら歯科治療をすることができるコンパクトな歯科治療装置および切削工具を提供する。【解決手段】振動発生部１１を有する超音波ハンドピース１０などのハンドピースと、超音波ハンドピース１０に装着される切削工具２０とからなる歯科治療用装置１であって、切削工具２０には、歯科用ハンドピース１０に装着される側と反対側を開口させた中空部２３が形成されており、中空部２３には、開口２５側を視野とする一体型内視鏡プローブ３５が内装されている。一体型内視鏡プローブには、液体供給の雨の導管が形成されている。【選択図】図４
2018064668.tif 000002
【特許請求の範囲】
【請求項１】
振動発生部を有する歯科用ハンドピースと、
該歯科用ハンドピースに装着される切削工具とからなる歯科治療用装置であって、
該切削工具には、前記歯科用ハンドピースに装着される側と反対側を開口させた中空部が形成されており、
該中空部には、開口側を視野とする内視鏡プローブが内装されていることを特徴とする歯科用治療装置。
【請求項２】
前記切削工具と前記内視鏡プローブとの間には防振部材が介されていることを特徴とする請求項１に記載の歯科用治療装置。
【請求項３】
前記内視鏡プローブは、イメージガイドと一または複数のライトガイドとを備えることを特徴とする請求項１または２に記載の歯科用治療装置。
【請求項４】
前記内視鏡プローブは、前記開口側へ液体を吐出する導管を備えることを特徴とする請求項１から３のいずれか１に記載の歯科用治療装置。
【請求項５】
前記切削工具には、先端から所定の距離を有する位置に吐出孔が形成されており、該吐出孔から前記先端へ向けて液体を吐出する導管を備えることを特徴とする請求項１から４のいずれか１に記載の歯科用治療装置。
【請求項６】
振動発生部を備えた歯科用ハンドピースに装着される切削工具であって、
該切削工具には、前記歯科用ハンドピースに装着される側と反対側を開口させた中空部が形成されており、
該中空部には、開口側を視野とする内視鏡プローブが内装されることを特徴とする切削工具。
【発明の詳細な説明】
【技術分野】
【０００１】
本発明は、歯科用治療装置および切削工具に関し、詳しくは、患部を視認して治療することを可能とする歯科用治療装置および切削工具に関する。
【背景技術】
【０００２】
歯の根管治療は、リーマやファイルと呼ばれる器具で細菌に感染してしまった歯質や神経を徹底的に除去し、歯の根の病気(根尖病変)を治療・予防する。しかし、根管の中は直接見ることができないことから、この根管治療は多くの困難を伴い、場合によっては治療中に根管内でリーマが破損して、破損部分が根管内に残存することも生ずる。
【０００３】
残存したリーマは、人体に悪影響を及ぼすおそれがあるため、除去することが必要となり、残存したリーマの周りの歯質を削ることによって除去を行っている。しかしながら、除去においても当該部分を視認することができないために、隣接する健全な歯を過剰に切削したり、残存したリーマを削ったりする場合があった。
【０００４】
治療時に患部を視認できない問題に対して、内視鏡プローブを超音波スケーラなどの歯科用振動式ハンドピースに外付けして、治療箇所の画像を内視鏡モニターへ伝送する技術が知られている（特許文献１、特許文献２参照）。
【先行技術文献】
【特許文献】
【０００５】
【特許文献１】特開２０１２−２３９７２６号公報
【特許文献２】特開２０１２−２３９７２７号公報
【発明の概要】
【発明が解決しようとする課題】
【０００６】
特許文献１、２に開示されたハンドピースは、内視鏡プローブを歯科用振動式ハンドピースに外付けするものであり、ハンドピースに装着された切削工具（チップ）と並列に配設されるため、視野範囲に死角を生じるおそれがあるとともに、切削方向が限定されることがあった。また、外付けのために断面のサイズが、通常の切削工具の端部よりも大きくなることがあった。このため、特許文献１、２に開示されたハンドピースを用いた場合、視認可能に構成されているにもかかわらず治療位置に誤差を生ずるおそれがあった。
【０００７】
したがって、特許文献１，２に開示された技術においては、歯質や歯肉を損傷したり、必要以上の切削範囲を要することとなり、治療患者の負担を増大することになるおそれがあった。
【０００８】
本発明は、これらの実情に鑑みてなされたものであり、治療方向と視認方向とを一致させつつ、切削部分を視認しながら歯科治療をすることができるコンパクトな歯科治療装置および切削工具を提供することをその目的とする。
【課題を解決するための手段】
【０００９】
上記課題を解決するために、請求項１の発明は、振動発生部を有する歯科用ハンドピースと、該歯科用ハンドピースに装着される切削工具とからなる歯科治療用装置であって、該切削工具には、前記歯科用ハンドピースに装着される側と反対側を開口させた中空部が形成されており、該中空部には、開口側を視野とする内視鏡プローブが内装されていることを特徴とするものである。
【００１０】
請求項２の発明は、請求項１の発明において、前記切削工具と前記内視鏡プローブとの間には防振部材が介されていることを特徴とするものである。
【００１１】
請求項３の発明は、請求項１または２の発明において、前記内視鏡プローブは、イメージガイドと一または複数のライトガイドとを備えることを特徴とするものである。
【００１２】
請求項４の発明は、請求項１から３のいずれか１の発明において、前記内視鏡プローブは、前記開口側へ液体を吐出する導管を備えることを特徴とするものである。
【００１３】
請求項５の発明は、請求項１から４のいずれか１の発明において、前記切削工具には、先端から所定の距離を有する位置に吐出孔が形成されており、該吐出孔から前記先端へ向けて液体を吐出する導管を備えることを特徴とするものである。
【００１４】
請求項６の発明は、振動発生部を備えた歯科用ハンドピースに装着される切削工具であって、該切削工具には、前記歯科用ハンドピースに装着される側と反対側を開口させた中空部が形成されており、該中空部には、開口側を視野とする内視鏡プローブが内装されることを特徴とするものである。
【発明の効果】
【００１５】
本発明によれば、切削工具の中空部に内装された内視鏡プローブによって、切削部分を視認しながら歯科治療をすることができる。また、防振部材を介することで内視鏡プローブへ伝達される振動が減衰されるため、内視鏡プローブによって撮像された画像のブレを抑制することができる。さらに、ライトガイドを透過する光の波長を変更することによって可視領域の切削部分画像を取得することができる。また、治療箇所、方法に応じて切削箇所を洗浄等するための液体吐出口および方向を選択して適用することができる。
【図面の簡単な説明】
【００１６】
【図１】本発明に係る歯科用治療装置の一実施形態を説明するための全体外観図である。
【図２】本発明に係る歯科用治療装置の一実施形態の要部断面図である。
【図３】超音波振動子と超音波チップとの連結を説明する斜視図である。
【図４】超音波チップの要部断面図である。
【図５】内視鏡プローブの断面図である。
【図６】本発明に係る歯科用治療装置を用いた治療例を説明するための図である。
【図７】本発明の他の実施形態に係る超音波チップの要部断面図である。
【発明を実施するための形態】
【００１７】
（第１の実施形態）
以下、図面を参照しながら、本発明の歯科用治療装置および切削工具に係る好適な実施の形態について説明する。以下の説明において、異なる図面においても同じ符号を付した構成は同様のものであるとして、その説明を省略する場合がある。
【００１８】
図１は、本発明に係る歯科用治療装置１の一実施形態を説明するための全体外観図である。図１を参照すると、歯科用治療装置１は、振動発生部を有する歯科用ハンドピースの例としての超音波ハンドピース１０と、この超音波ハンドピース１０に着脱自在に装着される切削工具の一例としての超音波チップ２０を有する超音波スケーラであり、さらに、超音波チップ２０に内装された内視鏡プローブによって治療箇所の画像を取得する内視鏡装置３０と、治療箇所を洗浄する液体供給部４０とから構成される。
【００１９】
図２は本発明に係る歯科用治療装置１の一実施形態の要部断面図であり、図３は超音波振動子１１と超音波チップ２０との連結を説明する斜視図である。図１とともに、図２、３もあわせて参照すると、超音波ハンドピース１０は、内部に超音波振動子１１と、この超音波振動子１１と一体的に連結された超音波振動体１２と、超音波振動子１１を励振するための電源線１３を備えている。超音波振動体１２の先端部側には、軸孔１４が設けられており、この軸孔１４の内壁には雌ネジ１５が形成されている。雌ネジ１５に超音波チップ２０に設けられた雄ネジ２２が螺合されると、超音波振動体１２の振動が超音波チップ２０に伝達される。ここで、超音波振動子１１と超音波振動体１２とは、本発明の振動発生部に相当する。
【００２０】
超音波チップ２０は、切削工具となるスケーリングチップや歯牙切削用ファイルであり、超音波振動体１２から伝達された振動によって患部の切削等を行う。図４は超音波チップの要部断面図であり、図１〜４をあわせて参照すると、超音波チップ２０には中空部２３が形成され、中空部の側面にはプローブ導入孔２１が穿孔されている。
【００２１】
内視鏡装置３０は、超音波チップ２０に形成された中空部２３に防振部材３６を介して内装された内視鏡プローブ先端部５０と、内視鏡プローブ先端部５０との間で照明光や反射光などの授受を行う内視鏡本体装置３４と、内視鏡本体装置３４との間で光を伝送するための光導波路を有する内視鏡プローブ３１を備えている。内視鏡プローブ先端部５０は、中空部２３に内装しやすいように厚みのある円盤状に形成され、また、内視鏡プローブ３１は後述する液体供給チューブ４１ととともに一体型内視鏡プローブ３５として、超音波チップ２０の超音波振動体１２に装着される側と反対側に設けられた開口部２５を臨むように配置されている。防振部材３６は、超音波チップ２０から一体型内視鏡プローブ３５へ伝達される振動を減衰させる。
【００２２】
図５は内視鏡プローブ先端部５０の断面図であり、図５を参照すると、内視鏡プローブ先端部５０には、画像伝送用のイメージガイド５１、治療箇所を照明するための複数のライトガイド５２が配置されている。これらのイメージガイド５１、ライトガイド５２は一体型内視鏡プローブ３５及び内視鏡プローブ３１を介して内視鏡本体装置３４と結合されており、照明光や入射光の伝送を行う。ライトガイド５２は、撮像する状況に応じて、通常の白色光、ブルー光、特定の波長のレーザ光を発光する発光素子からの光を通すことができる。
【００２３】
液体供給部４０は、図示しない液体供給装置等から液体供給チューブ４１を通して、液体を超音波チップ２０の中空部２３へ送っている。液体は洗浄水、冷却水はもとより薬液であってもよい。
【００２４】
液体供給チューブ４１を通して送られた液体は、内視鏡プローブ先端部５０に備えられた吐出口５５を通じて超音波チップ２０の開口部２５へ向けて、吐出される。かかる構成によって洗浄水、冷却水もしくは薬液等を治療部へ吐出させることができる。
【００２５】
液体供給チューブ４１と内視鏡プローブ３１は、両者を合わせて一つの一体型内視鏡プローブ３５とすることができる。かかる構成は、プローブ導入孔２１に導入する作業を容易にすることができる。一体型内視鏡プローブ３５とプローブ導入孔２１との間にはラバー等の防振部材２４を介することが望ましい。振動によって一体型内視鏡プローブ３５が損傷することを防止するためである。一体型内視鏡プローブ３５では液体供給チューブは導管として構成することができる。
【００２６】
次に図６を参照して、本発明に係る歯科用治療装置を用いた治療例を説明する。図６を参照すると、歯質６０の根管６１の治療を行った際にリーマ６３が破損する場合がある。破損したリーマ６３は、歯肉６２に一部が陥入しており、これを除去するには当該部分に切削工具を挿入して、除去処理をしなければならない。図６に示すようにリーマ６３の陥入箇所は歯質６０に周囲を被われており、切削工具と別体もしくは切削工具に外付けをした内視鏡プローブを使用しても、患部を視認することは難しい。
【００２７】
本実施例にかかる歯科用治療装置１では、除去を行う切削箇所を臨むように開口部２５が形成され、この開口部２５を通して一体型内視鏡プローブ３５によって、切削箇所を直接視認して、リーマ６３を除去するための歯質６０を切除することができる。
【００２８】
また切削時には、吐出口５５を通じて洗浄水を供給することができ、視認の状態を劣化させることもなく、患部の洗浄も可能となる。
【００２９】
なお、ライトガイド５２には、通常の可視光領域での照明に加えて、概ね０．７μｍ〜１．２μｍの近赤外レーザ光を適用することもできる。近赤外レーザ光は、表面から３０ｍｍ程度の体内透過が可能であるため歯肉に隠れた破損したリーマ６３を検出することができる。また、治療箇所を洗浄した後に４０５ｎｍ程度の波長の強パワーのレーザ光又はＬＥＤ光を照射して殺菌を行うこともできる。
【００３０】
（第２の実施形態）
次に図７を参照して他の実施形態について説明する。なお、本実施形態は液体吐出の形態にかかる変形例であり、前記した実施形態と重複する部分については省略し、差異のある部分を中心に説明する。
【００３１】
図７を参照すると、液体供給チューブ４１と内視鏡プローブ３１を一体化した一体型内視鏡プローブ３５は、超音波チップ７０のプローブ導入孔２１に挿入される。一体型内視鏡プローブ３５は中空部２３内にて液体供給チューブ４１と内視鏡プローブ３１に分離される。内視鏡プローブ３１は前記した実施形態と同様に内視鏡プローブ先端部７３で超音波チップと防振部材を介して結合される。一方、液体供給チューブ４１は超音波チップ７０の側面に穿孔された吐出口７１に配設される。
【００３２】
吐出口７１からは、洗浄水、冷却水もしくは薬液等を治療部へ吐出させる。吐出の方向については、吐出口７１の角度を超音波チップ７０に対して任意に設定することで調整することができる。なお、かかる箇所に吐出口７１を設けたことにより、図５に示した内視鏡プローブ先端部５０の正面図における吐出口５５は設けずともよいが、吐出口７１と併せて吐出口５５を使用する構成としてもよい。
【００３３】
なお、本発明の態様は上記実施形態に限られるものではなく、例えば、振動発生部を有する歯科用ハンドピースとして、エアースケーラに適応してもよい。
【符号の説明】
【００３４】
１…歯科用治療装置、１０…超音波ハンドピース、１１…超音波振動子、１２…超音波振動体、１３…電源線、１４…軸孔、１５…雌ネジ、２０、７０…超音波チップ、２１…プローブ導入孔、２２…雄ネジ、２３…中空部、２４、３６…防振部材、２５…開口部、３０…内視鏡装置、３１…内視鏡プローブ、３４…内視鏡本体装置、３５…一体型内視鏡プローブ、４０…液体供給部、４１…液体供給チューブ、５０、７３…内視鏡プローブ先端部、５１…イメージガイド、５２…ライトガイド、５５、７１…吐出口、６０…歯質、６１…根管、６２…歯肉、６３…リーマ。
【図１】
2018064668.tif 000003
【図２】
2018064668.tif 000004
【図３】
2018064668.tif 000005
【図４】
2018064668.tif 000006
【図５】
2018064668.tif 000007
【図６】
2018064668.tif 000008
【図７】
2018064668.tif 000009